(57)【要約】【課題】交通信号制御機の操作性を向上させる技術を提供する。【解決手段】第１〜第４の灯器開閉ユニット３１〜３４は、横一列に実装されているが、操作部パネル４０の縦方向の長さを灯器開閉ユニット３０の上端までとなっており、操作部パネル４０を閉じた状態でも灯器開閉ユニット３０の前面が見えるようになっている。特に、灯色モニタ３５が操作部パネル４０を閉じた状態であっても、視認可能になっている。つまり、操作部パネル４０を開かなくとも、メンテナンス等を行う操作者は灯色モニタ３５の表示状態を確認できる。つまり、信号灯器の点灯状態（灯色モニタ３５）と点灯時間（表示部）が同時に確認可能となる。また、灯色モニタ３５の直ぐ上に、現示階梯銘板４３が取り付けられているので、灯色モニタ３５と現示階梯銘板４３とを同時に確認できる。【選択図】図３
2015095073.tif 000002
【特許請求の範囲】
【請求項１】
筐体の内部背面部分に取り付けられた回路基板と、
前記筐体の背面部分において、前記回路基板より下側に配置された灯器開閉ユニットと、
前記回路基板の前面側に開閉自在に取り付けられ、信号灯器の設定を行うとともに前記信号灯器の点灯時間が表示される表示部を備えた操作部パネルと
を有し、
前記操作部パネルが閉じられた状態で、前記灯器開閉ユニットの灯器モニタが視認可能である
ことを特徴とする交通信号制御装置。
【請求項２】
前記操作部パネルが閉じられた状態で、前記灯器開閉ユニットの前面を覆わないように形成されていることを特徴とする請求項１に記載の交通信号制御装置。
【請求項３】
前記操作パネルの下側近傍領域に、前記信号灯器の点灯順を示した現示階梯銘板を備え、
前記操作パネルが閉じられた状態で、前記現示階梯銘板の下に前記灯器モニタが並んで配置されていることを特徴とする請求項２に記載の交通信号制御装置。
【請求項４】
前記灯器開閉ユニットは、複数横方向に隣り合って並んで配置されることを特徴とする請求項１〜３までのいずれかに記載の交通信号制御装置。
【発明の詳細な説明】
【技術分野】
【０００１】
本発明は、交差点の近傍等に設置される交通信号制御装置に関する。
【背景技術】
【０００２】
道路の交差点等には交通の安全・円滑の為に交通信号機が設定されている。そして、交通信号機を制御するために交通信号制御装置（交通信号制御機ともいう）がその近傍に設置されている。この交通信号制御装置の保守管理等の作業では、短時間でかつ的確な作業が求められる。
【０００３】
そのような技術として、例えば、交通信号制御機が動作中において、人が内部にアクセスして誤操作等を行うことを防止する技術がある（例えば、特許文献１参照）。
【先行技術文献】
【特許文献】
【０００４】
【特許文献１】特開２０１０−２６５９４号公報
【発明の概要】
【発明が解決しようとする課題】
【０００５】
ところで、交通信号制御装置には信号灯器の点灯、滅灯を切り替えるスイッチユニット（灯器開閉ユニット）が実装されている。このユニットには信号灯器（青・黄・赤）の点灯状態を示す灯器モニタが実装されているが、従来の制御機では操作部パネルの奥に灯器開閉ユニットが実装されているため、操作部パネルを開けなければ灯器モニタを確認することができないという課題があった。
【０００６】
操作部パネルには信号灯器（青・黄・赤）の点灯時間が表示される表示部が設けられているが、灯器開閉ユニットの灯器モニタと同時に見ることが困難であり、信号灯器の切替タイミングがわかりづらいという課題があった。
【０００７】
本発明は、以上のような状況に鑑みなされたものであって、上記課題を解決する技術を提供することにある。
【課題を解決するための手段】
【０００８】
本発明の交通信号制御装置は、筐体の内部背面部分に取り付けられた回路基板と、前記筐体の背面部分において、前記回路基板より下側に配置された灯器開閉ユニットと、前記回路基板の前面側に開閉自在に取り付けられ、信号灯器の設定を行うとともに前記信号灯器の点灯時間が表示される表示部を備えた操作部パネルとを有し、前記操作部パネルが閉じられた状態で、前記灯器開閉ユニットの灯器モニタが視認可能である。
また、前記操作部パネルが閉じられた状態で、前記灯器開閉ユニットの前面を覆わないように形成されてもよい。
また、前記操作パネルの下側近傍領域に、前記信号灯器の点灯順を示した現示階梯銘板を備え、前記操作パネルが閉じられた状態で、前記現示階梯銘板の下に前記灯器モニタが並んで配置されてもよい。
また、前記灯器開閉ユニットは、複数横方向に隣り合って並んで配置されてもよい。
【発明の効果】
【０００９】
本発明によると、交通信号制御機の操作性を向上させる技術を提供することができる。
【図面の簡単な説明】
【００１０】
【図１】本実施形態に係る、交通信号制御機の内部構造を示した正面図である。
【図２】本実施形態に係る、操作部パネルを除いた状態の交通信号制御機の内部構造を示した正面図である。
【図３】本実施形態に係る、図１の領域Ａ１を拡大して示した図である。
【図４】本実施形態に係る、図２の領域Ａ２を拡大して示した図である。
【発明を実施するための形態】
【００１１】
次に、本発明を実施するための形態（以下、単に「実施形態」という）を、図面を参照して具体的に説明する。
【００１２】
図１は本実施形態に係る交通信号制御機１０の内部構造を示した正面図である。また、図２は、図１の交通信号制御機１０の図から操作部パネル４０を取り除いた状態を示した正面図である。なお、図２では、操作部パネル４０について便宜的に破線で開いた状態を示している。図３は、図１の領域Ａ１を拡大して示した図である。図４は、図２の領域Ａ２を拡大して示した図である。
【００１３】
交通信号制御機１０は、筐体１１の奥側の背面部分にマザーボード１２が取り付けられている。ここでは、上下方向の略中央付近にマザーボード１２が配置されている。
【００１４】
マザーボード１２の上側部分にはインタフェイス基板１３が取り付けられている。インタフェイス基板１３は、車両感知器などを接続するための所定の端子を有する基板である。
【００１５】
インタフェイス基板１３の下側には、灯器開閉ユニット３０及び制御電源ユニット３７が取り付けられている。ここでは、所定の奥行きを持った縦長の第１〜第４の灯器開閉ユニット３１〜３４が横方向に並んで配置されている。第１〜第４の灯器開閉ユニット３１〜３４を区別しないときは、灯器開閉ユニット３０と称する。制御電源ユニット３７は灯器開閉ユニット３０と同様の所定の奥行きを持った縦長の形状を有している。
【００１６】
灯器開閉ユニット３０は、信号灯器のオン／オフを行う半導体リレーユニットである。灯器開閉ユニット３０は、上側に設けられた灯色モニタ３５と、灯色モニタ３５の下側に設けられた灯器接続用端子台３６とを備える。灯色モニタ３５は、どの信号灯器を点灯させているかをＬＥＤモニタで表示させる。灯器接続用端子台３６は、信号灯器を接続するインタフェイスである。
【００１７】
灯器開閉ユニット３０及び制御電源ユニット３７の下側には、つまり、筐体の下側付近には、主電源開閉器２１、灯器開閉器２２、中継端子台２３及び入出力端子台２４が並んで配置されている。中継端子台２３及び入出力端子台２４の下側の領域は、信号機設置工事等の際に用いられる作業スペースであり、迅速・円滑な設置工事のために必要とされる。
【００１８】
灯器開閉器２２は、接続している信号灯器を全て点灯・消灯するスイッチである。中継端子台２３は内部配線用の端子である。入出力端子台２４は外部配線用の端子である。
【００１９】
操作部パネル４０は、開閉自在のパネルであって、制御部４１と表示部４２と現示階梯銘板４３とを備える。
【００２０】
制御部４１は信号灯器の表示時間の設定等を行うためのボタンであり、操作部パネル４０の上側の領域に横方向に複数並んで設けられている。表示部４２は、青信号、黄信号、赤信号の表示時間などをデジタル表示するもので、制御部４１の上に設けられている。
【００２１】
操作部パネル４０の下側外縁近傍には、現示階梯銘板４３が取り付けられている。現示階梯銘板４３は、信号灯器の点灯順を示している。
【００２２】
ここで、第１〜第４の灯器開閉ユニット３１〜３４は、横一列に実装されているが、操作部パネル４０の縦方向の長さを灯器開閉ユニット３０の上端までとなっており、操作部パネル４０を閉じた状態でも灯器開閉ユニット３０の前面が見えるようになっている。特に、灯色モニタ３５が操作部パネル４０を閉じた状態であっても、視認可能になっている。つまり、操作部パネル４０を開かなくとも、メンテナンス等を行う操作者は灯色モニタ３５の表示状態を確認できる。つまり、信号灯器の点灯状態（灯色モニタ３５）と点灯時間（表示部４２）が同時に確認可能となる。また、灯色モニタ３５の直ぐ上に、現示階梯銘板４３が取り付けられているので、灯色モニタ３５と現示階梯銘板４３とを同時に確認できる。
【００２３】
その結果、操作者は、操作部パネル４０の開閉がほとんど不要になり、交通信号制御機１０の設置工事および保守・メンテナンスの効率が改善され、作業時間の短縮が可能となる。特に、交通信号制御機１０のメンテナンス等は、交通流の安全・円滑の観点から、短時間で確実に行う必要がある。そのため、交通信号制御機１０により、より安全な交通流の確保が可能となる。
【００２４】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。たとえば、操作部パネル４０の下側に操作部パネル４０とは別に灯器開閉ユニット３０の前面を覆う所定のパネルが設けられてもよい。そのパネルを開き操作部パネル４０は閉じた状態で操作することで、上記の実施形態と同様の効果が得られる。
【符号の説明】
【００２５】
１０  交通信号制御機
１１  筐体
１２  マザーボード
１３  インタフェイス基板
２１  主電源開閉器
２２  灯器開閉器
２３  中継端子台
２４  入出力端子台
３０  灯器開閉ユニット
３１  第１の灯器開閉ユニット
３２  第２の灯器開閉ユニット
３３  第３の灯器開閉ユニット
３４  第４の灯器開閉ユニット
３５  灯色モニタ
３６  灯器接続用端子台
３７  制御電源ユニット
４０  操作部パネル
４１  制御部
４２  表示部
４３  現示階梯銘板
【図１】
2015095073.tif 000003
【図２】
2015095073.tif 000004
【図３】
2015095073.tif 000005
【図４】
2015095073.tif 000006